(57)【特許請求の範囲】
【請求項１】
回転する円筒状の加熱ロールと、この加熱ロールの中空内部に設置されて通電によりその加熱ロールを内周面側から加熱する加熱源と、前記加熱ロールに圧接するように設置されて未定着トナー像を担持するシート状物を通過させるニップ部を形成する加圧部材と、前記加熱ロールの外周面に先端部が近接した状態で設置されて前記ニップ部を通過した後のシート状物をその加熱ロールから剥離する剥離部材を有する定着装置であって、
前記加熱ロールのウォームアップ時に、その加熱ロールのうち前記剥離部材の先端部が近接して対向する部位を中心にした特定の内周面領域を加熱するレベルをその他の内周面領域を加熱するレベルよりも低減する加熱低減手段を設けたことを特徴とする定着装置。
【請求項２】
前記加熱低減手段は、前記加熱源と前記加熱ロールの特定の内周面領域との間に当該加熱源からの輻射熱を遮蔽する遮蔽部材を設置して構成されている請求項１に記載の定着装置。
【請求項３】
前記加熱低減手段は、前記加熱源としてウォームアップ時に通電する加熱源と通電しない加熱源を設置するとともにその通電しない加熱源を通電する加熱源と前記加熱ロールの特定の内周面領域との間に配置し、かつ、その通電しない加熱源を前記遮蔽部材として使用することで構成されている請求項２に記載の定着装置。
【請求項４】
前記加熱低減手段は、前記加熱源として複数の加熱源を設置するとともにその複数の加熱源のうちの少なくとも一部を前記加熱ロールの特定の内周面領域に対して離間距離が異なる位置に設置し、かつ、その複数の加熱源のうち当該特定の内周面領域から遠い位置に設置された加熱源にのみ通電するように制御する通電制御手段を設けて構成されている請求項１に記載の定着装置。
【請求項５】
前記加熱低減手段は、前記加熱源として複数の加熱源を設置するとともにその複数の加熱源のうちの少なくとも一部を前記加熱ロールの特定の内周面領域に対して異なる離間位置に設置し、かつ、その複数の加熱源のうち当該特定の内周面領域から近い位置に設置された加熱源への通電をウォームアップ時の一定の時間帯だけ行なわないように制御する通電制御手段を設けて構成されている請求項１に記載の定着装置。
【請求項６】
前記通電制御手段は、当該特定の内周面領域から近い位置に設置された加熱源への通電を断続的に行うように制御する請求項５に記載の定着装置。
【請求項７】
前記通電制御手段は、当該特定の内周面領域から近い位置に設置された加熱源への通電をウォームアップ時の少なくとも終期となる時間帯だけ行なわないように制御する請求項５に記載の定着装置。
【請求項８】
画像情報に基づくトナー像を形成して最終的にシート状物に未定着トナー像として転写する作像装置と、この作像装置で転写された未定着トナー像を担持するシート状物を通過させて加熱加圧することによりトナー像の定着を行なう定着装置を有し、
前記定着装置として請求項１乃至７のいずれかに記載の定着装置を用いることを特徴とする画像形成装置。
【発明の詳細な説明】
【技術分野】
【０００１】
本発明は、電子写真方式や静電記録方式等を利用してトナー像を形成してから最終的にシート状物に未定着トナー像として転写した後に定着することにより画像を形成するプリンタ、複写機、複合機等の画像形成装置に使用される定着装置等に関するものであり、特に、加熱ロールの周面に近接して設置される剥離部材を有する定着装置及びこれを用いた画像形成装置の改良に関するものである。
【背景技術】
【０００２】
上記したような画像形成装置においては、その定着装置として、未定着トナー像を担持する用紙を通過させる（定着用）ニップ部を形成するように圧接設置される加熱ロール及び加圧ロールと、この加熱ロールの周面に先端部が近接した状態で設置されて当該ニップ部を通過した後の用紙を当該加熱ロールから剥離する剥離部材を有する定着装置を用いるものがある（特許文献１）。
【０００３】
そして、この種の定着装置にあっては、加熱ロールとして、一般に円筒状のロールであってそのロールの中空内部に設置したハロゲンヒータ等の加熱源に通電することによりそのロールを内周面側から加熱するように構成したものが多用されている。また、定着時にその加熱ロールと加圧ロールに間のニップ部から排出される用紙が当該加熱ロールから確実に剥離されるようにする観点から、剥離部材をその先端部と加熱ロールとの距離が１ｍｍ以下におさまるように保持する必要があるとされている。
【０００４】
【特許文献１】特開昭５８−７１６７号公報
【発明の開示】
【発明が解決しようとする課題】
【０００５】
ところが、このような定着装置では、一般に電源投入時等の時期に、その加熱ロールを加熱源による急激な加熱により所定の温度（最終的に定着温度）まで短時間で加熱させるためのウォームアップ動作を実行するが、このような加熱動作を行なうことにより次のような問題がある。
【０００６】
即ち、ウォームアップ動作のような急激な加熱を行なった場合は、加熱ロールの内周面側と外周面側の間で急激な温度差が生じやすく、特に加熱ロールのうち剥離部材の先端部が近接する部位を含む領域が他の部位よりも加熱源によって強く加熱されて当該急激な温度差が生じてしまうと、その該当領域が他も部位よりも熱膨張して変形する可能性が高まる。これにより、加熱ロールの外周面に対して当初より近接した状態で設置されている剥離部材とその加熱ロールとが互いに一層接近した状態になるか又は完全に接触した状態になってしまう。
【０００７】
そして、このような状態になった場合は、加熱ロールに付着しているトナー等がその加熱ロールに異常接近又は完全接触した状態にある剥離部材側に転移して付着したり、あるいは、その剥離部材側に付着したトナー等が剥離時に定着対象の用紙側に転移付着して汚してしまう等の問題がある。また、剥離部材の先端部が加熱ロールに接触することで、加熱ロールの外周面を損傷させてしまうという問題がある。
【０００８】
ちなみに、ウォームアップ中に加熱ロールを回転させて加熱状態を均一化させる対策も考えられる。しかし、この場合は、加熱された加熱ロールに圧接して従動回転する加圧ロール部材に加熱による熱が伝わって消失されてしまうことにより、ウォームアップの所要時間が長くなってしまう。このため、この対策は、ウォームアップ時の短縮化が要請されている昨今の状況下では適当な対策にはなり得ないものである。
【０００９】
本発明は、以上のような問題点に鑑みてなされたものであり、加熱ロールのウォームアップ動作の所要時間を延ばすことなく、ウォームアップ時等のような加熱動作を行なった際に加熱ロールと剥離部材の先端部との異常接近又は完全接触という現象の発生を防止することができ、これにより、剥離部材へのトナー等の転移付着やその剥離部材から定着時のシート状物への転移付着、さらには剥離部材の接触による加熱ロールの損傷等の問題の発生を防止することができる定着装置及びこれを用いた画像形成装置を提供するものである。
【課題を解決するための手段】
【００１０】
本発明の定着装置は、回転する円筒状の加熱ロールと、この加熱ロールの中空内部に設置されて通電によりその加熱ロールを内周面側から加熱する加熱源と、前記加熱ロールに圧接するように設置されて未定着トナー像を担持するシート状物を通過させるニップ部を形成する加圧部材と、前記加熱ロールの外周面に先端部が近接した状態で設置されて前記ニップ部を通過した後のシート状物をその加熱ロールから剥離する剥離部材を有する定着装置であって、前記加熱ロールのウォームアップ時に、その加熱ロールのうち前記剥離部材の先端部が近接して対向する部位を中心にした特定の内周面領域を加熱するレベルをその他の内周面領域を加熱するレベルよりも低減する加熱低減手段を設けたことを特徴とするものである。
【００１１】
ここで、上記加熱低減手段における加熱ロールの「特定の内周面領域」とは、図３に例示するように、その加熱ロール（２２）のうち剥離部材（２５）の先端部（２５ａ）が近接して対向する部位を中心（基点）Ｓにして加熱ロールの回転方向Ａ及びその反対方向Ｂに好ましくはそれぞれｗ１＝５ｍｍ（回転方向），ｗ２＝５ｍｍ（反回転方向）に至る前後の位置ｑ１，ｑ２までの軸方向幅Ｗ（＝ｗ１＋ｗ２）をもつロール内周面の領域（Ｅ）である。その他の内周面領域とは、その特定の内周面領域（Ｅ）をロール内周面全領域から除いたロール内周面の領域となる。
【００１２】
また、上記加熱低減手段において「加熱するレベルを低減する」とは、ウォームアップ時において上記特定の内周面領域を加熱する合計割合を他の内周面領域を加熱する合計割合よりも相対的に少なくすることであり、そのウォームアップの終了時において特定の内周面領域又はその外周面領域の温度がその他の内周面領域又はその外周面領域の温度よりも相対的に低い状態になって急激な温度上昇に伴う加熱ロールの熱膨張による変形が生じにくい結果が得られるような加熱方式である。
【００１３】
このような加熱するレベルを低減するには、具体的には、加熱ロールの上記加熱源による加熱範囲、加熱強度、加熱時間等を適宜制限、調整又は配分することで実現することができる。ウォームアップとしての加熱動作は、電源投入時や、待機状態（低電力モード時やスリープモード時）からの復帰時などに行なわれる。ちなみに、上記特定の内周面領域以外の領域に対しては、ウォームアップ時の加熱レベルのように使用可能な電力をフルに使用した状態で加熱するようにする。また、ウォームアップ時において加熱ロールは回転させない。上記シート状物は、トナー像を担持して上記定着ニップ部を通過することにより正常な定着処理が可能なものであればよい。
【００１４】
上記加熱低減手段は、たとえば、前記加熱源と前記加熱ロールの特定の内周面領域との間に当該加熱源からの輻射熱を遮蔽する遮蔽部材を設置して構成される。
【００１５】
その遮蔽部材は、耐熱性を有し、加熱源からの輻射熱を効果的に遮蔽することができるものであればよく、その形状や数量等については特に制限されるものではない。特に加熱源が複数設置される場合には、そのすべての加熱源に対して個々に対応する遮蔽部材を設置することも可能であるが、少なくとも特定の内周面領域の近傍に１つの遮蔽部材を設置することであってもよい。
【００１６】
このように構成した場合には、加熱源から放射される輻射熱のうち加熱ロールの特定の内周面領域に直接むかう分の輻射熱が遮蔽部材により遮蔽されることになり、加熱ロールの当該特定の内周面領域を加熱するレベルをその他の内周面領域を加熱するレベルよりも比較的容易かつ的確に低減することができる。
【００１７】
また、上記加熱低減手段は、前記加熱源としてウォームアップ時に通電する加熱源と通電しない加熱源を設置するとともにその通電しない加熱源を通電する加熱源と前記加熱ロールの特定の内周面領域との間に配置し、かつ、その通電しない加熱源を前記遮蔽部材として使用することで構成することもできる。
【００１８】
その通電しない加熱源としては、たとえば、特定の定着時（たとえばニップ部を通過するシート状物の幅が他に比べて特別狭いものに対して行なう定着動作時など）にのみ通電して使用する加熱源を適用することができる。
【００１９】
この場合は、通電しない加熱源が遮蔽部材として有効に利用されるようになり、専用の遮蔽部材を別途新たに追加設置する必要性がなくなく、また、定着時には必要に応じて加熱源として使用することができ、これにより、ウォームアップ時に加熱ロールの特定の内周面領域を加熱するレベルをその他の内周面領域を加熱するレベルよりも無駄なく合理的に低減することが可能になる。
【００２０】
また、上記加熱低減手段は、前記加熱源として複数の加熱源を設置するとともにその複数の加熱源のうちの少なくとも一部を前記加熱ロールの特定の内周面領域に対して離間距離が異なる位置に設置し、かつ、その複数の加熱源のうち当該特定の内周面領域から遠い位置に設置された加熱源にのみ通電するように制御する通電制御手段を設けて構成することもできる。
【００２１】
この場合は、ウォームアップ時に加熱ロールの特定の内周面領域から遠い位置に設置された加熱源によって加熱されることになり、反対に特定の内周面領域から近い位置に設置されている加熱源によっては加熱されないので、全体的にみれば、ウォームアップ時に加熱ロールの特定の内周面領域を加熱するレベルをその他の内周面領域を加熱するレベルよりも容易に低減することが可能になる。なお、この加熱を行なう特定の内周面領域から遠い位置に設置された加熱源は、その特定の内周面領域から最も近い加熱源を除く加熱源のうちの全部であってもその一部（その中でも特定の内周面領域から遠い位置にある加熱源）であってもよい。
【００２２】
さらに、上記加熱低減手段は、前記加熱源として複数の加熱源を設置するとともにその複数の加熱源のうちの少なくとも一部を前記加熱ロールの特定の内周面領域に対して異なる離間位置に設置し、かつ、その複数の加熱源のうち当該特定の内周面領域から近い位置に設置された加熱源への通電をウォームアップ時の一定の時間帯だけ行なわないように制御する通電制御手段を設けて構成することもできる。
【００２３】
この場合は、ウォームアップ時に一定の時間帯だけ通電を行なわない分だけ他の常時通電する加熱源よりも加熱するレベルが低減されるようになり、これにより、ウォームアップ時に加熱ロールの特定の内周面領域を加熱するレベルをその他の内周面領域を加熱するレベルよりも容易に低減することが可能になる。また、前記した特定の内周面領域から近い位置に設置された加熱源への通電をウォームアップ時にまったく行なわない場合に比べて、その一定の時間帯だけ通電することもある分、ウォームアップ時に必要な加熱レベルを確保することができ、これによりウォームアップの所要時間の延長を確実に回避することも可能になる。
【００２４】
この特定の加熱源への通電をウォームアップ時の一定の時間帯だけ行なわない加熱低減手段の場合においては、たとえば、当該特定の内周面領域から近い位置に設置された加熱源への通電を断続的に行うように制御することが有効である。
【００２５】
この場合は、特定の内周面領域に該当する内周面部分とその外周面部分との温度差を大きくせずにウォームアップを行うことができ、加熱ローラの熱膨張による変形が起こり難くなる等のメリットがある。その断続的に行なう通電の配分については、ウォームアップ開始時及びその終期時に少なくとも通電しない時間帯を配分する構成を採用することが好ましい。
【００２６】
また、この特定の加熱源への通電をウォームアップ時の一定の時間帯だけ行なわない加熱低減手段の場合においては、当該特定の内周面領域から近い位置に設置された加熱源への通電をウォームアップ時の少なくとも終期となる時間帯だけ行なわないように制御することも有効である。
【００２７】
この場合は、ウォームアップ時の終わりの段階で特定の内周面領域に対する加熱するレベルが他の内周面領域に比べて低減することができ、その特定の内周面領域を必要以上の温度まで加熱することを回避することができる。また、その終期の時間帯を除く時間帯ではウォームアップ時に必要な加熱レベルを確保できるため、ウォームアップの所要時間の延長を確実に回避することも可能になる。なお、ウォームアップ時の「終期」とは、たとえば、定着温度よりも３０℃程度低い温度まで加熱された時点以降の時期である。
【００２８】
また、本発明の画像形成装置は、画像情報に基づくトナー像を形成して最終的にシート状物に未定着トナー像として転写する作像装置と、この作像装置で転写された未定着トナー像を担持するシート状物を通過させて加熱加圧することによりトナー像の定着を行なう定着装置を有し、前記定着装置として上記した各構成からなる定着装置のいずれかを用いることを特徴とするものである。画像形成装置としては、一般にカラー画像を形成することができるものが対象となるが、単色（主に白黒）画像のみを形成する画像形成装置を対象にしてもよい。
【発明の効果】
【００２９】
本発明の定着装置によれば、加熱ロールのウォームアップ時に、加熱低減手段によってその加熱ロールのうち剥離部材の先端部が近接して対向する部位を中心にした特定の内周面領域を加熱するレベルがその他の内周面領域を加熱するレベルよりも低減されるようになるため、その特定の内周面領域に該当するロール部分の熱膨張による変形を他のロール部分に比べて抑制することが可能になる。また、この際、その特定の内周面領域以外に対しては、通常の加熱条件でウォームアップによる加熱が実行されることになる。
【００３０】
従って、加熱ロールのウォームアップ動作の所要時間を延ばすことなく、ウォームアップ時等のような加熱動作を行なった際に加熱ロール（の上記特定の内周面領域に該当する部分）と剥離部材の先端部との異常接近又は完全接触という現象の発生を防止することが可能になり、これによって、加熱ロールから剥離部材へのトナー等の転移付着やその剥離部材から定着時のシート状物へのトナー等の転移付着をはじめ、剥離部材の接触による加熱ロールの損傷発生等の各種問題の発生を防止することができる。
【００３１】
また、本発明の画像形成装置によれば、上記したような定着装置を用いることにより、加熱ロールのウォームアップ動作の所要時間の延長を回避しつつ画像形成動作を開始することができ、しかも、そのウォームアップ後の画像形成において定着装置の剥離部材から定着対象のシート状物へのトナー等の転移付着の発生や剥離部材の接触による加熱ロールに損傷の発生のおそれのない良好で安定した画像形成を行なうことができる。
【発明を実施するための最良の形態】
【００３２】
［実施の形態１］
図１は、本発明の実施の形態１に係る画像形成装置及び定着装置の要部を示すものである。
【００３３】
この画像形成装置１は、例えば電子写真方式を利用したプリンタを構成するものである。このプリンタ１は、その本体２の内部に、トナー像Ｔを形成した後に用紙Ｐに転写する作像ユニット１０と、この作像ユニット１０で転写された未定着トナー像Ｔを担持する用紙Ｐを通過させてそのトナー像Ｔの定着を行う定着装置２０Ａと、作像ユニット１０に用紙Ｐを供給したりあるいは所定の部位に搬送する用紙搬送装置３０などが適宜配分されて設置されることで構成されている。図１において符号３は、プリンタ全体の動作を総括的に制御するシステムコントローラである。
【００３４】
作像ユニット１０は、像担持体としての感光ドラム１１と、この感光ドラム１１の周囲に配置される帯電手段としての帯電ロール、像露光手段としてのレーザ走査装置（ＲＯＳ）及び現像手段としての現像装置からなる作像機器１２と、帯電手段としての帯電ロール１５とを主に備えている。ちなみに、この作像ユニット１０は、白黒画像を形成するタイプのものを例示しているが、好ましくはカラー画像を形成することができるタイプの作像ユニットを採用する。
【００３５】
感光ドラム１１は、回転自在に支持される導電性ドラムの周面に有機感光材料等からなる感光層を形成したものであり、画像形成動作（プリント）時になると、図示しない駆動装置によって矢印方向に所定の速度で回転駆動する。そして、感光ドラム１１の周面は作像機器１２の帯電ロールによって一様に帯電された後、その帯電後の表面に対して作像機器１２のレーザ走査装置から画像情報に基づいて変調されたレーザビーム光が走査露光されることにより静電潜像が形成される。レーザ走査装置は、外部から適宜入力される画像情報を本体２内に設置される図示しない画像処理装置において所定の処理をした後に得られる画像信号に基づいて動作する。
【００３６】
続いて、感光ドラム１１上の静電潜像は、作像機器１２の現像装置から供給される現像剤（トナー）によって現像されて（未定着）トナー像とされ、しかる後、そのトナー像は所定のタイミングで供給される用紙Ｐ上に転写ロール１５によって転写される。この転写後の感光ドラム１１の周面は、その周面に付着する残留トナー、紙粉等の不要物が図示しないクリーニング装置によって除去されることで清掃される。
【００３７】
用紙Ｐは、給紙カセット３１内に収容されており、送出ロール及びリタードロールからなる送出装置３２により給紙カセット３１から１枚ずつ送り出された後、複数の搬送ロール対３３やガイド部材を経てレジストロール対３４まで搬送される。その後、用紙Ｐは、前記トナー像の転写タイミングを見計らってレジストロール対３４により転写位置（感光ドラム１１と転写ロール１５の間）にむけて供給される。転写位置で未定着トナー像Ｔが転写された用紙Ｐは、その後、定着装置２０Ａにむけて搬送されて定着処理される。
【００３８】
定着装置２０Ａを通過することによってトナー像Ｔが定着された用紙Ｐは、定着装置２０Ａから排出された後、排出ロール対３５によりそのまま排出トレイ３６上に排出される。これにより基本的なプリントが終了する。
【００３９】
次に、このプリンタ１における定着装置２０Ａについて説明する。
【００４０】
定着装置２０Ａは、図２等に示すように、その本体２１の内部に、回転駆動するように設置される加熱ロール２２と、この加熱ロール２２に圧接させて未定着トナー像Ｔを担持する用紙Ｐを通過させる定着ニップ部Ｎを形成するように設置される加圧ロール２３と、前記定着ニップ部Ｎを通過した後の用紙Ｐを加熱ロール２２から剥離する剥離シート２５とが主に設置されている。図２等において符号２９Ａは定着ニップ部Ｎの入口側の用紙導入ガイド板、２９Ｂは定着ニップ部Ｎの出口側の用紙排出ガイド板である。
【００４１】
加熱ロール２２は、アルミニウム、ステンレス等の金属によって比較的薄肉の円筒形状に形成された芯金と、この芯金の外周面に被覆形成されるテトラフロオロエチレン、ＰＦＡ等の離型性材料からなる離型層で構成されており、そのロール内部（芯金の中空部）のほぼ中心位置に加熱源としての１本のハロゲンヒータ２４が設置されている。また、加熱ロール２２は、図示しない回転駆動装置の回転動力を受けて矢印方向Ａに所定の速度で回転駆動する。
【００４２】
この加熱ロール２２は、そのロール表面温度を測定する温度センサ２６からの検知情報が定着部コントローラ２７に送信され、その定着部コントーラ２７が所定の制御プログラムに基づいてハロゲンヒータ２４に通電する電源装置２８の通電動作を制御（ＯＮ，ＯＦＦ制御）することにより、所定の温度（定着温度、待機時温度など）に保たれるように加熱される。定着部コントローラ２７は、前記システムコントローラ３と接続されており（図１）、必要な制御及び情報交換が行われている。
【００４３】
加圧ロール２３は、ステンレスやアルミウム等の金属によって中実の円柱形状に形成された芯金と、この芯金の外周面に形成されるシリコーンゴム等からなる耐熱性弾性層と、この弾性層の表面に被覆されるテトラフロオロエチレン、ＰＦＡ等の離型性材料からなる離型層で構成されている。この加圧ロール２３は、図示しない加圧機構により回転駆動する加熱ロール２２に所定の圧力で圧接されるように支持されており、これにより従動回転する。
【００４４】
剥離シート２５は、図２や図３に示すように、加熱ロール２２の軸方向に伸びる長方形状のシートを図示しないホルダーに支持したものであり、その全体がニップ部Ｎの出口よりも加熱ロール２２の回転方向下流側に少し後退した位置に配置されており、しかも、その先端部２５ａが加熱ロール２２の外周面から所定の間隙ｄ（２００〜５００μｍ程度）をあけて近接した状態となるように設置されている。
【００４５】
そして、この定着装置２０Ａにおいては、図２〜図４に示すように、加熱ロール２２のウォームアップ時に、その加熱ロール２２のうち剥離シート２５の先端部２５ａが近接して対向する部位（Ｓ）を中心にした特定の内周面領域（Ｅ）を加熱するレベルをその他の内周面領域を加熱するレベルよりも低減する加熱低減手段４を設けている。
【００４６】
上記特定の内周面領域Ｅとは、図３に示すように、その加熱ロール２２のうち剥離シート２５の先端部が近接して対向する部位を中心（基点）Ｓにして加熱ロール２２の回転方向Ａ及びその反対方向Ｂにそれぞれ距離ｗ１（回転方向）及びｗ２（反回転方向）に至る前後位置ｑ１，ｑ２までの軸方向幅Ｗ（＝ｗ１＋ｗ２）をもつロール内周面２２ｂの領域（Ｅ）である。別の言い方をすれば、加熱レベル低減対象領域となる。この例では、たとえば加熱ロール２２としてロール芯金の外径が３５ｍｍ、その肉圧が３ｍｍであるものを使用した場合、ｗ１＝５ｍｍ、ｗ２＝５ｍｍとした幅Ｗ＝１０ｍｍのロール内周面部分を特定内周面領域Ｅとした。図３中の括弧書き符号Ｏは加熱ロール２２の（回転）中心点を示す。
【００４７】
この例では、加熱低減手段４Ａとして、前記１つのハロゲンヒータ２４と加熱ロール２２の特定の内周面領域Ｅとの間にハロゲンヒータ２４からの輻射熱（Ｈ）を遮蔽する遮蔽板４１を設置して構成したものを適用している。
【００４８】
遮蔽板４１は、ステンレスからなり、特定内周面領域Ｅの軸方向幅Ｗより少し広めの幅及びハロゲンヒータ２４の長さとほぼ同じ長さを有する平面長方形の板状にしたものである。加熱低減手段４Ａでは、この遮蔽板４１をハロゲンヒータ２４と加熱ロール２２の特定内周面領域Ｅとの間で少し特定内周面領域Ｅ寄りの位置に、その板面がハロゲンヒータ２４の中心と特定内周面領域Ｅの中心（ロール周方向の中心）とを結ぶ直線（ロールの半径と同じ）に対してほぼ直角に交差するような状態で、しかもロールの軸方向に平行するような状態となるように設置している。また、この遮蔽板４１の取り付けは、ハロゲンヒータ２４のブラケットに対してロール軸方向の熱膨張による変形（変位）分を逃がせるように取り付けている。
【００４９】
次に、このような加熱低減手段４Ａを設けた定着装置２０Ａの動作について説明する。
【００５０】
はじめに、通常の定着動作について説明する。その定着時になると、定着温度に加熱されて矢印方向Ａに回転する加熱ロール２２と加圧ロール２３の間の定着ニップ部Ｎに対し、作像ユニット１０側で未定着トナー像Ｔが転写された用紙Ｐが入口側の用紙導入ガイド板２９Ａに案内されながら導入される（図１、図２）。そして、この定着ニップ部Ｎを通過するときに加熱加圧されることにより、未定着トナー像Ｔが用紙Ｐに融着されることで定着される。
【００５１】
この定着が終了して定着ニップ部Ｎから排出される用紙Ｐは、図２等に示すように、自力又は剥離シート２６の剥離作用により加熱ロール２２から剥離された後、出口側の用紙排出ガイド板２９Ｂに誘導されて定着装置本体２１の外部に排出される。これにより、定着処理が終了する。
【００５２】
続いて、この定着装置２０Ａ（実際にはプリンタ１本体）の電源投入時に行なわれる加熱ロール２２のウォームアップ動作について説明する。
【００５３】
電源が投入されると、定着部コントローラ２７の制御動作によって電源装置２８から加熱ロール２２のハロゲンヒータ２４に対してウォームアップ時用の電力（通常の定着動作時に供給する電圧又は電流と同等か又は多めの電力である。この例では同等の電力を適用した）が通電される。この際、加熱ロール２２は回転を停止した状態にあり、また、加圧ロール２３は回転を停止して加熱ロール２２に圧接された状態にある。
【００５４】
このハロゲンヒータ２４への通電により、図４に示すように、ハロゲンヒータ２４が強く発熱して強力な輻射熱（Ｈ）をロール内周面２２ｂの全域にむけて放射するため、加熱ロール２２はその内周面２２ｂ側から急激に加熱されることになる。これにより、加熱ロール２２は比較的短時間で所定の温度（定着温度）を少し超える温度（閾値温度）まで加熱される（図６参照）。このときのロール温度は温度センサ２６によって検出されている。そして、この閾値温度まで加熱された時点でウォームアップが終了する。このウォームアップ終了後は、加熱ロール２２は定着温度に保たれるように制御されて、定着動作が可能な状態になる。
【００５５】
一方、このウォームアップ時において、加熱ロール２２の内周面２２ｂにおける特定内周面領域Ｅは、加熱低減手段４Ａの遮蔽板４１の存在により、ハロゲンヒータ２４から放射される輻射熱（Ｈ）のうち特定内周面領域Ｅにむけて放射される輻射熱（Ｈｎ）が遮蔽板４１によってその進路を阻まれて特定内周面領域Ｅに直接到達しない状態となる。このため、この特定周面領域Ｅは、その領域にむかう輻射熱（Ｈｎ）が遮蔽される分、他の周面領域のようにハロゲンヒータ２４によって加熱されることはない。
【００５６】
従って、この定着装置２０Ａにおいては、ウォームアップ時であるにもかかわらず、加熱ロール２２の特定内周面領域Ｅを加熱するレベルがその他の内周面領域を加熱するレベルよりも低減されるため、その特定内周面領域Ｅに該当するロール部分の熱膨張による変形を他のロール部分に比べて抑制することができる。また、この際、その特定内周面領域Ｅ以外に対しては、前述したように通常の加熱条件でウォームアップによる加熱が実行される。
【００５７】
この結果、ウォームアップ時に、加熱ロール２２の外周面２２ａと剥離シート２５の先端部２５ａとが異常に接近したり又は完全に接触するという現象の発生が防止される。これによって、その異常接近又は完全接触の発生した場合における加熱ロール２２から剥離シート２５へのトナー等の転移付着やその剥離シート２５から定着時の用紙Ｐへのトナー等の転移付着の発生も防止され、しかも、剥離シート２５の完全接触による加熱ロール２２の周面損傷の発生も防止されるようになる。
【００５８】
また、この定着装置２０Ａのウォームアップ時の効果により、プリンタ１にとっても、加熱ロール２２のウォームアップ終了後の最初のプリント動作を今まで通りのタイミングで開始することが可能になる。また、そのウォームアップ後のプリント動作において定着装置２０Ａの剥離シート２５から定着対象の用紙Ｐへのトナー等の転移付着の発生等がない良好で安定したプリント動作を行なうことができる。
【００５９】
［実施の形態２］
図５は、本発明の実施の形態２に係るプリンタの一部（定着装置）を示すものである。
【００６０】
このプリンタにおける定着装置２０Ｂは、遮蔽板４１を適用した加熱低減手段４Ａに代えて別の加熱低減手段４Ｂを採用することに関連して一部を変更した以外は実施の形態１のプリンタ１における定着装置２０Ａと同じ構成からものである。このため、図５等においては実施の形態１に係るプリンタ１や定着装置２０Ａと共通する部分に対して同じ符号を付しており、また、以下においてはその共通する構成部分についての説明を必要なときを除いて省略している（これ以降の実施の形態においても同様とする）。
【００６１】
定着装置２０Ｂにおける加熱低減手段４Ｂは、加熱ロール２２におけるハロゲンヒータ２４としてウォームアップ時に通電する第１ハロゲンヒータ２４Ａと通電しない第２ハロゲンヒータ２４Ｂを設置し、また、その通電しない第２ハロゲンヒータ２４Ｂを通電する第１ハロゲンヒータ２４Ａと加熱ロールの特定内周面領域Ｅとの間に配置したうえで、この第２ハロゲンヒータ２４Ｂを遮蔽部材（４２）として使用するように構成している。
【００６２】
この例では、第１ハロゲンヒータ２４Ａをメインの加熱源として使用し、第２ハロゲンヒータ２４Ｂを定着時の補助用加熱源又は特殊領域加熱用加熱源として使用している。また、定着部コントローラ２７として、第２ハロゲンヒータ２４Ｂへの定着時及びウォームアップ時における特殊な通電の制御を行なう制御プログラムで動作するように設定したもの（２７Ｂ）を用いている。特に、図６に示すようにウォームアップ（「Ｗ／Ｕｐ」）時には第２ハロゲンヒータ２４Ｂへの通電をまったく行なわない制御（ＯＦＦ制御）を実行するようになっている。
【００６３】
次に、このような加熱低減手段４Ｂを設けた定着装置２０Ｂの動作について説明する。
【００６４】
まず、この定着装置２０Ｂによる未定着トナー像Ｔの用紙Ｐへの定着動作は、実施の形態１における定着装置２０Ａの場合（図２）と同様に行なわれる（図７）。
【００６５】
続いて、加熱ロール２２のウォームアップ動作についてであるが、電源が投入されると、図６に示すように、定着部コントローラ２７Ｂの制御動作によって電源装置２８から第１ハロゲンヒータ２４Ａにのみウォームアップ時用の電力が通電される。この際、第２ハロゲンヒータ２４Ｂには通電されない。
【００６６】
この第１ハロゲンヒータ２４Ａにのみへの通電により、図６や図７に示すように、第１ハロゲンヒータ２４Ａのみが強く発熱して強力な輻射熱（Ｈ）をロール内周面２２ｂの全域にむけて放射するため、加熱ロール２２はその内周面２２ｂ側から急激に加熱され、そのロール表面温度が閾値温度に達した時点でウォームアップ動作が終了する。このウォームアップ終了後は、加熱ロール２２は定着温度に保たれるように制御されて定着動作可能な状態となる。
【００６７】
一方、このウォームアップ時において、加熱ロール２２の内周面２２ｂにおける特定内周面領域Ｅは、通電により発熱している第１ハロゲンヒータ２４Ａとの間に通電されていない第２ハロゲンヒータ２４Ｂが存在することにより、第１ハロゲンヒータ２４Ａから放射される輻射熱（Ｈ）のうち特定内周面領域Ｅにむけて放射される輻射熱（Ｈｎ）が遮蔽部材４２としての第２ハロゲンヒータ２４Ｂによってその進路を阻まれて特定内周面領域Ｅに直接到達しない状態となる。このため、この特定周面領域Ｅは、その領域にむかう輻射熱（Ｈｎ）が第２ハロゲンヒータ２４Ｂによって遮蔽される分、他の周面領域のように第１ハロゲンヒータ２４Ａによって加熱されなくなる。
【００６８】
従って、この定着装置２０Ｂにおいては、ウォームアップ時であるにもかかわらず、加熱ロール２２の特定内周面領域Ｅを加熱するレベルがその他の内周面領域を加熱するレベルよりも低減されるため、その特定内周面領域Ｅに該当するロール部分の熱膨張による変形を他のロール部分に比べて抑制することができる。
【００６９】
この結果、ウォームアップ時に、加熱ロール２２の外周面２２ａと剥離シート２５の先端部２５ａとが異常に接近したり又は完全に接触するという現象の発生が防止され、これによって実施の形態１の場合と同様にウォームアップ時における各種問題の発生が防止されるようになる。また、この定着装置２０Ｂのウォームアップ時の効果により、プリンタ１にとっても、実施の形態１の場合と同様に、ウォームアップ後に定着装置２０Ｂの剥離シート２５から定着対象の用紙Ｐへのトナー等の転移付着の発生等がない良好で安定したプリント動作を行なうことができる。
【００７０】
［実施の形態３］
図８は、本発明の実施の形態３に係るプリンタの一部（定着装置）を示すものである。
【００７１】
このプリンタにおける定着装置２０Ｃは、遮蔽板４１を適用した加熱低減手段４Ａに代えて別の加熱低減手段４Ｃを採用することに関連して一部を変更した以外は実施の形態１のプリンタ１における定着装置２０Ａと同じ構成からものである。
【００７２】
定着装置２０Ｃにおける加熱低減手段４Ｃは、加熱ロール２２におけるハロゲンヒータ２４として３つの第１ハロゲンヒータ２４Ｃ，第２ハロゲンヒータ２４Ｄ，第３ハロゲンヒータ２４Ｅを加熱ロール２２の特定内周面領域Ｅ（中心位置）との離間距離ｍが異なる位置（ｍ１，ｍ２，ｍ３）にそれぞれ配置している（図８、図１０）。この例では離間距離ｍの大小関係を「ｍ１＞ｍ３＞ｍ２」に設定している。離間距離ｍ２とｍ３については「ｍ３＝ｍ２」と設定してもよい。そして、これら３つのハロゲンヒータ２４（Ｃ，Ｄ，Ｅ）のうち特定内周面領域Ｅから最も遠い位置に設置された第１ハロゲンヒータ２４Ｃにのみウォームアップ時に通電する制御を行なうように構成している。
【００７３】
この例では、第１ハロゲンヒータ２４Ｃと第３ハロゲンヒータ２４Ｅをメインの加熱源として使用し、第２ハロゲンヒータ２４Ｄを定着時の補助用加熱源又は特殊領域加熱用加熱源として使用している。また、定着部コントローラ２７として、第２ハロゲンヒータ２４Ｄ及び第３ハロゲンヒータ２４Ｅへの定着時及びウォームアップ時における特殊な通電の制御を行なう制御プログラムで動作するように設定したもの（２７Ｃ）を用いている。特に、図９に示すようにウォームアップ時には第１ハロゲンヒータ２４Ｃにのみに通電する制御（ＯＮ制御）を行い、第２ハロゲンヒータ２４Ｄ及び第３ハロゲンヒータ２４Ｅへの通電をまったく行なわない制御（ＯＦＦ制御）を実行するようになっている。
【００７４】
次に、このような加熱低減手段４Ｃを設けた定着装置２０Ｃの動作について説明する。
【００７５】
まず、この定着装置２０Ｂによる未定着トナー像Ｔの用紙Ｐへの定着動作は、実施の形態１における定着装置２０Ａの場合（図２）と同様に行なわれる（図８）。
【００７６】
続いて、加熱ロール２２のウォームアップ動作についてであるが、電源が投入されると、図９に示すように、定着部コントローラ２７Ｃの制御動作によって電源装置２８から第１ハロゲンヒータ２４Ｃにのみウォームアップ時用の電力が通電される。この際、第２ハロゲンヒータ２４Ｄ及び第３ハロゲンヒータ２４Ｅには通電されない。
【００７７】
この第１ハロゲンヒータ２４Ｃにのみへの通電により、図９や図１０に示すように、第１ハロゲンヒータ２４Ｃのみが強く発熱して強力な輻射熱（Ｈ）をロール内周面２２ｂの全域にむけて放射するため、加熱ロール２２はその内周面２２ｂ側から急激に加熱され、そのロール表面温度が閾値温度に達した時点でウォームアップ動作が終了する。このウォームアップ終了後は、加熱ロール２２は定着温度に保たれるように制御されて定着動作可能な状態となる。
【００７８】
一方、このウォームアップ時において、加熱ロール２２の内周面２２ｂにおける特定内周面領域Ｅは、その領域Ｅから最も遠い位置（離間距離ｍ１の位置）にある第１ハロゲンヒータ２４Ｃのみで加熱されるだけであり、その領域Ｅから近い位置にある第２ハロゲンヒータ２４Ｄ及び第３ハロゲンヒータ２４Ｅによっては加熱されないため、第１ハロゲンヒータ２４Ｃから放射される輻射熱（Ｈ）も到達距離が長くなる分、他の周面領域に比べると加熱の強さが弱まる状態となる。このため、この特定周面領域Ｅは、その領域に達する輻射熱の強さが弱まる分、他の周面領域のように第１ハロゲンヒータ２４Ｃによって強く加熱されることはない。
【００７９】
従って、この定着装置２０Ｃにおいては、ウォームアップ時であるにもかかわらず、加熱ロール２２の特定内周面領域Ｅを加熱するレベルがその他の内周面領域を加熱するレベルよりも低減されるため、その特定内周面領域Ｅに該当するロール部分の熱膨張による変形を他のロール部分に比べて抑制することができる。
【００８０】
この結果、ウォームアップ時に、加熱ロール２２の外周面２２ａと剥離シート２５の先端部２５ａとが異常に接近したり又は完全に接触するという現象の発生が防止され、これによって実施の形態１の場合と同様にウォームアップ時における各種問題の発生が防止されるようになる。また、この定着装置２０Ｃのウォームアップ時の効果により、プリンタ１にとっても、実施の形態１の場合と同様に、ウォームアップ後に定着装置２０Ｃの剥離シート２５から定着対象の用紙Ｐへのトナー等の転移付着の発生等がない良好で安定したプリント動作を行なうことができる。
【００８１】
［実施の形態４］
図１１は、本発明の実施の形態４に係るプリンタの一部（定着装置）を示すものである。
【００８２】
このプリンタにおける定着装置２０Ｄは、遮蔽板４１を適用した加熱低減手段４Ａに代えて別の加熱低減手段４Ｄを採用することに関連して一部を変更した以外は実施の形態１のプリンタ１における定着装置２０Ａと同じ構成からものである。
【００８３】
定着装置２０Ｄにおける加熱低減手段４Ｄは、加熱ロール２２におけるハロゲンヒータ２４として２つの第１ハロゲンヒータ２４Ｆ，第２ハロゲンヒータ２４Ｇを加熱ロール２２の特定内周面領域Ｅ（中心位置）との離間距離ｍが異なる位置（ｍ４，ｍ５）にそれぞれ配置している（図１１、図１３）。この例では離間距離ｍの大小関係を「ｍ４＞ｍ５」に設定している。そして、これら２つのハロゲンヒータ２４（Ｆ，Ｇ）のうち特定内周面領域Ｅから近い位置に設置された第２ハロゲンヒータ２４Ｇへの通電をウォームアップ時の一定の時間帯だけ行なわないように制御するように構成している。
【００８４】
この例では、第１ハロゲンヒータ２４Ｆと第２ハロゲンヒータ２４Ｇのいずれもメインの加熱源として使用している。また、定着部コントローラ２７として、第２ハロゲンヒータ２４Ｇへのウォームアップ時における特殊な通電の制御を行なう制御プログラムで動作するように設定したもの（２７Ｄ）を用いている。特に、図１２に示すようにウォームアップ時には、第２ハロゲンヒータ２４Ｇへの通電を断続的に行なう制御（ＯＮ・ＯＦＦ制御）を実行するようにしている。また、これに加えて、第１ハロゲンヒータ２４Ｆへの通電についても断続的に行なう制御を実行するよう設定している。このときの断続的な通電のパターンは、第１ハロゲンヒータ２４Ｆと第２ハロゲンヒータ２４Ｇへの通電を交互に切替えて行い、しかも、最初に第２ハロゲンヒータ２４Ｇへの通電を行い、最後は第１ハロゲンヒータ２４Ｆへの通電を行なって第２ハロゲンヒータ２４Ｇへの通電は行なわないというパターンである。
【００８５】
次に、このような加熱低減手段４Ｄを設けた定着装置２０Ｄの動作について説明する。
【００８６】
まず、この定着装置２０Ｄによる未定着トナー像Ｔの用紙Ｐへの定着動作は、実施の形態１における定着装置２０Ａの場合（図２）と同様に行なわれる（図１１）。
【００８７】
続いて、加熱ロール２２のウォームアップ動作についてであるが、電源が投入されると、図１２に示すように、定着部コントローラ２７Ｄの制御動作によって電源装置２８から最初に第２ハロゲンヒータ２４Ｇにのみへ所定時間だけ通電し、その時間経過後に第１ハロゲンヒータ２４Ｆにのみへ所定時間だけ通電し、その後はこの通電を交互に行なった後、最後に第１ハロゲンヒータ２４Ｆにのみへ所定時間だけ通電する。なお、この通電時間とその配分は、たとえば「ハロゲンヒータ２４Ｆの通電時間：ハロゲンヒータ２４Ｇ＝離間距離ｍ４：離間距離ｍ５」のように設定される。なお、第２ハロゲンヒータ２４Ｇへの通電の合計時間は、第１ハロゲンヒータ２４Ｆへの通電の合計時間よりも短くすることが望ましい。また、ウォームアップ時の加熱ロールの各ハロゲンヒータへの通電に使用する総合電力量について制限がない場合には、第１ハロゲンヒータ２４Ｆには常時通電するように構成してもよい。
【００８８】
特にこの第１ハロゲンヒータ２４Ｆと第２ハロゲンヒータ２４Ｇへの交互の通電により、図１２や図１３に示すように、常に一方のヒータ２４からの輻射熱（Ｈ）がロール内周面２２ｂの全域にむけてそれぞれ放射されるため、加熱ロール２２はその内周面２２ｂ側から急激に加熱され、そのロール表面温度が閾値温度に達した時点でウォームアップ動作が終了する。このウォームアップ終了後は、加熱ロール２２は定着温度に保たれるように制御されて定着動作可能な状態となる。
【００８９】
一方、このウォームアップ時において、加熱ロール２２の内周面２２ｂにおける特定内周面領域Ｅは、その領域Ｅから近い位置（離間距離ｍ５の位置）にある第２ハロゲンヒータ２４Ｇからは断続的に加熱されるだけであり、その通電されない時間帯がある分、第２ハロゲンヒータ２４Ｇから領域Ｅに放射される輻射熱（Ｈｘ）が少なくなり、他の周面領域に比べると加熱の時間が短くなって加熱の強さも弱まる状態となる。また、この例では、特にウォームアップの終了前にその領域Ｅから近い位置にある第２ハロゲンヒータ２４Ｇを行なわないため、その領域Ｅを定着温度を超える高い温度まで加熱するおそれがなくなり、この点でもその領域Ｅは他の周面領域に比べると加熱の強さが弱まる状態となる。
【００９０】
従って、この定着装置２０Ｄにおいては、ウォームアップ時であるにもかかわらず、加熱ロール２２の特定内周面領域Ｅを加熱するレベルがその他の内周面領域を加熱するレベルよりも低減されるため、その特定内周面領域Ｅに該当するロール部分の熱膨張による変形を他のロール部分に比べて抑制することができる。
【００９１】
この結果、ウォームアップ時に、加熱ロール２２の外周面２２ａと剥離シート２５の先端部２５ａとが異常に接近したり又は完全に接触するという現象の発生が防止され、これによって実施の形態１の場合と同様にウォームアップ時における各種問題の発生が防止されるようになる。また、この定着装置２０Ｄのウォームアップ時の効果により、プリンタ１にとっても、実施の形態１の場合と同様に、ウォームアップ後に定着装置２０Ｄの剥離シート２５から定着対象の用紙Ｐへのトナー等の転移付着の発生等がない良好で安定したプリント動作を行なうことができる。
【００９２】
なお、この実施の形態４における定着装置２０Ｄは、その加熱低減手段４Ｄにおいて特定内周面領域Ｅから近い位置に設置された第２ハロゲンヒータ２４Ｇへの通電をウォームアップ時の一定の時間帯だけ行なわない通電パターンとして、図１４に示すように、その第２ハロゲンヒータ２４Ｇへの通電をウォームアップ時の少なくとも終期となる時間帯だけ行なわないようにするパターンを採用してもよい。
【００９３】
この図１４に示す例では、最初の半分の時間帯は第２ハロゲンヒータ２４Ｇへの通電のみを行なった後、その前半の時間が経過した後半の時間帯は第１ハロゲンヒータ２４Ｆへの通電のみを行なう通電パターンを採用している。ウォームアップ時の終期は、図１４に示すように、定着温度よりも所定の温度（ｋ＝約３０℃）だけ低い温度（定着温度−ｋ）になった以降の時期である。ただし、この例では、第２ハロゲンヒータ２４Ｇへの通電をウォームアップ時の終期になる少し前の時点から行なわないようにしている。
【００９４】
このような通電パターンを採用した場合には、ウォームアップ時の終わりの段階で特定内周面領域Ｅを加熱するレベルが他の内周面領域のそれに比べて低減することができ、その特定内周面領域Ｅを定着温度以上の温度まで加熱することを回避することができる。従って、この定着装置２０Ｄにおいては、ウォームアップ時であるにもかかわらず、加熱ロール２２の特定内周面領域Ｅを加熱するレベルがその他の内周面領域を加熱するレベルよりも容易に低減されるため、その特定内周面領域Ｅに該当するロール部分の熱膨張による変形を他のロール部分に比べて容易に抑制することができる。
【図面の簡単な説明】
【００９５】
【図１】実施の形態１（２）に係る画像形成装置（プリンタ）及び定着装置の要部を示す概略説明図である。
【図２】実施の形態１における定着装置の要部を示す概略説明図である。
【図３】加熱ロールに対する剥離シートの設置状態と加熱ロールの特定の内周面領域の構成を示す説明図である。
【図４】図２の定着装置におけるウォームアップ時の加熱低減手段の動作状態を示す説明図である。
【図５】実施の形態２における定着装置の要部を示す概略説明図である。
【図６】図５の定着装置における加熱低減手段の通電制御の構成とウォームアップ時の温度経過の状態を示す説明図である。
【図７】図５の定着装置におけるウォームアップ時の加熱低減手段の動作状態を示す説明図である。
【図８】実施の形態３における定着装置の要部を示す概略説明図である。
【図９】図８の定着装置における加熱低減手段の通電制御の構成とウォームアップ時の温度経過の状態を示す説明図である。
【図１０】図８の定着装置におけるウォームアップ時の加熱低減手段の動作状態を示す説明図である。
【図１１】実施の形態４における定着装置の要部を示す概略説明図である。
【図１２】図１１の定着装置における加熱低減手段の通電制御の構成とウォームアップ時の温度経過の状態を示す説明図である。
【図１３】図１１の定着装置におけるウォームアップ時の加熱低減手段の動作状態を示す説明図である。
【図１４】実施の形態４における定着装置の加熱低減手段の通電制御の他の構成などを示す説明図である。
【符号の説明】
【００９６】
１…プリンタ（画像形成装置）、４Ａ，４Ｂ，４Ｃ，４Ｄ…加熱低減手段、１０…作像ユニット（作像装置）、２０Ａ，２０Ｂ，２０Ｃ，２０Ｄ…定着装置、２２…加熱ロール、２２ａ…外周面、２２ｂ…内周面、２３…加圧ロール（加圧部材）、２４…ハロゲンヒータ（加熱源）、２４Ｂ…通電しないハロゲンヒータ、２４Ｃ…遠い位置に設置されたハロゲンヒータ、２Ｇ…近い位置に設置されたハロゲンヒータ、２５…剥離シート（剥離部材）、２５ａ…先端部、４１…遮蔽板（遮蔽部材）、４２…遮蔽部材、２７Ｂ，２７Ｃ，２７Ｄ…定着部コントローラ（通電制御手段）、Ｔ…未定着トナー像、Ｐ…用紙（シート状物）、Ｎ…ニップ部、Ｓ…対向する部位、Ｅ…特定の内周面領域、ｍ…離間距離。
【図１】
0004609276.tif 000002
【図２】
0004609276.tif 000003
【図３】
0004609276.tif 000004
【図４】
0004609276.tif 000005
【図５】
0004609276.tif 000006
【図６】
0004609276.tif 000007
【図７】
0004609276.tif 000008
【図８】
0004609276.tif 000009
【図９】
0004609276.tif 000010
【図１０】
0004609276.tif 000011
【図１１】
0004609276.tif 000012
【図１２】
0004609276.tif 000013
【図１３】
0004609276.tif 000014
【図１４】
0004609276.tif 000015